(57)【特許請求の範囲】
【請求項１】
両側壁と、
前記各側壁に隣接した両端壁と、
前記両端壁間に延在したハンドルと、
前記ハンドルの両端と前記各端壁との間に延在した立ち上げパネルと、
前記各側壁と前記ハンドルとの間に延在するセルバンドを有するセル形成手段と、
二分割とされ、各側部が前記各側面にそれぞれ折り曲げ可能に接続された底壁と、を備え、
前記各側壁と前記各端壁との接合部が斜めに形成されており、かつ
前記各セルバンドと各側壁との接合部が斜めに形成されており、さらに
前記セルバンドは、前記ハンドル及び前記側壁に、前記底壁に対して略直交方向に延びる折り曲げ線に沿って接続されている
ことを特徴とする物品携行器。
【請求項２】
請求項１記載の携行器において、前記両側壁がそれぞれ、下部バンド及び上部バンドを形成する切り抜き部を有することを特徴とする携行器。
【請求項３】
請求項２記載の携行器において、前記切り抜き部が、前記下部バンド及び前記上部バンド間に延在する中央部をさらに形成していることを特徴とする携行器。
【請求項４】
請求項１記載の携行器において、一端が前記端壁のそれぞれに折り曲げ可能に接続された少なくとも一つの支持タブを備えていることを特徴とする携行器。
【請求項５】
請求項１記載の携行器において、一端が前記立ち上げパネルのそれぞれに折り曲げ可能に接続された少なくとも一つの支持タブを備えていることを特徴とする携行器。
【請求項６】
請求項１記載の携行器において、該携行器が折り畳まれた状態にて、前記セルバンドと各側壁との前記接合部と、これに隣接した側壁と、の間に配された少なくとも一つの破断可能な連結部を備えていることを特徴とする携行器。
【請求項７】
両側壁パネルと、
両端壁パネルと、
前記側壁パネルと前記端壁パネルとの間にそれぞれ折り曲げ可能に接続された第一のコーナータブと、
前記両端壁パネルにそれぞれ折り曲げ可能に接続された下部を有した一対の立ち上げパネルと、
前記両立ち上げパネルの上部に折り曲げ可能に接続されたハンドル構成パネルと、
二分割とされ、各側部が前記各側面にそれぞれ前記側壁パネルに折り曲げ可能に接続された底壁パネルと、前記側壁パネルの一方及び前記ハンドル構成パネルに折り曲げ可能に接続された一対のセルバンドとを備え、
各セルバンドは、これに折り曲げ可能に接続された第二のコーナータブを介して前記
側壁パネルの一方に接続されており、さらに、前記セルバンドは、前記ハンドル構成パネル及び前記側壁パネルに、前記底壁パネルとの交差方向に延びる折り曲げ線に沿って接続されている
ことを特徴とする物品携行器形成用ブランク。
【請求項８】
請求項７記載のブランクにおいて、前記両側壁パネルがそれぞれ、下部バンド及び上部バンドを形成する切り抜き部を有することを特徴とするブランク。
【請求項９】
請求項８記載のブランクにおいて、前記切り抜き部が、前記下部バンド及び前記上部バンド間に延在する中央部をさらに形成していることを特徴とするブランク。
【請求項１０】
請求項７記載のブランクにおいて、一端が前記端壁のそれぞれに折り曲げ可能に接続された少なくとも一つの支持タブを備えていることを特徴とするブランク。
【請求項１１】
請求項７記載のブランクにおいて、一端が前記立ち上げパネルのそれぞれに折り曲げ可能に接続された少なくとも一つの支持タブを備えていることを特徴とするブランク。
【請求項１２】
請求項７記載のブランクにおいて、前記第二のコーナータブの一方とこれに隣接した側壁との間に配された少なくとも一つの連結部を備えていることを特徴とするブランク。
【発明の詳細な説明】
発明の背景
本発明は概して物品携行器に関わり、詳しくは、ボトル等の物品をぴったりと保持する底部装填バスケット型物品携行器に関する。
ソフトドリンクのボトル等を運ぶための携行器の如きバスケット型の物品携行器はいくつかの点で役立つものである。例えば、該携行器から物品を簡単に取り出すことができるし、通常は物品を搬送、廃棄、その他の目的で取り除いた後に携行器内に再び戻すことが容易にできるし、また、経済性を考慮して携行器と一体に形成された使用の容易なハンドルを有し、かつデザイン的にも消費者が満足できるものである。バスケット型の携行器は通常、物品をルーズな状態に受け入れるよう構成されている。一般に、ボルト用のバスケット型携行器は、必要なときに特にガラスボトルの装填及び取り出しの繰り返し操作を容易に行えるよう、また壊れやすいボルトどうしをなるべく接触させないよう、それらボトルをルーズな状態に受け入れる構成となっている。しかし、ここで必要としているものは、特にボトル等の物品をぴったりと収納することができる携行器であり、しかもかかるタイトなパッケージを容易な方法で製作することである。このようにぴったりとしたパッケージは、通常ソフトドリンク産業界で用いられているPETボトルの如き破損のおそれのない、それ故にパッケージ内で分離させる必要のないボトルに特に有用である。
周知のバスケット型携行器のなかには複数の中心セルを持ったもの、特に背の高い中心セルを備えたものもある。中心セルは通常、ボトルを支持するほか、破損のおそれのあるボトルを分離させるためにも用いられる。中心セルはそれらボトルの支持を助けるばかりでなく、破損のおそれのないボトルを包装するに際し、携行器と該携行器の中央部に配置されたボトルとを近接させるのにも有用である。
発明の概要
本発明は、ボトル等の物品をぴったりと収納する物品携行器を提供するものである。本発明の好ましい実施形態においては、折畳み可能なバスケット型物品携行器は両側壁の両端に接続された端壁を有している。側壁の一部は切り抜かれて物品を保持するための複数の側壁バンドを形成する。立ち上げパネルが前記端壁の内方に延在している。前記端壁とこれら立ち上げパネルとの間にハンドルが延在している。中心セルを形成するセルバンドが各側壁とハンドルとの間に延在している。各側面と各端壁との各交差部に形成されるコーナーは斜め（面取り形状）になっている。同様に、前記セルバンドと側壁との各交差部に形成されるコーナーも傾斜している。支持タブによって、前記立ち上げパネルあるいは端壁が該携行器の底壁に接合される。この携行器の該底壁は二分割のものとなっている。ボトルは、この携行器の底部開口から上方に向けて装填することができる。この携行器は、折り畳まれた状態では、前記側壁バンドとセルバンドとの間の切断線上に前記傾斜したコーナーに対応して設けられた破断可能な連結部を有している。
また、本発明の好ましい実施形態によれば、上記の実施形態による携行器を形成するためのブランクも提供される。このブランクは上述した各要素を含んでいる。このブランクの一態様では、前記各支持タブは立ち上げパネルに折り曲げ可能に接続されている。好ましい実施形態による別の態様では、各支持タブは前記各端部パネルに折り曲げ可能に接続されている。
本発明のその他の優位点及び目的は以下の記載、添付図面、及び添付のクレームから明かとなる。
【図面の簡単な説明】
図１は、本発明の好ましい実施形態による物品携行器の斜視図；
図２は、図１に示した携行器の正立面図；
図３は、本発明の好ましい実施形態による図１に示した携行器を形成するためのブランクを示した平面図；
図４は、図３に示したブランクを組み立てる中間段階を示した平面図；
図５は、図３に示したブランクから組み立てられる図１の携行器を折り畳んだ状態で示した平面図；
図６は、本発明の好ましい実施形態による図１に示した携行器を形成するためのブランクの他の形態を示した平面図である。
好ましい実施の形態の詳細な説明
始めに、本発明の好ましい一実施形態による、組み立てられた物品携行器２の特徴について、図１の斜視図及び図２の側立面図の双方を参照しながら説明する。図示の携行器２は概して、三本で一列とされたボトルの列をニ列収容できるものとなっている。ただし本発明は、一列のボトル数を変更することも容易に可能である。例えば、各列が四本のボトルを有したニ列を含むようにすることも可能である。この携行器の両側は同一構成である。よって、図１及び、特に図２に示した側（サイド）について説明する特徴は他方の側にもほぼ当てはまるものである。側壁20,30にはそれぞれ切り抜き部が形成されており、ほぼこれによって下部側壁バンド21,31及び上部側壁バンド23,33が形成されている。これら下部バンド21,31及び上部バンド23,33はそれぞれ、コーナータブ22,32,24,34によって各端壁40,42,50,52に折り曲げ可能に接続されている。これら各コーナータブ22,32,24,34は、両側壁20,30と各端壁40,42,50,52との交差部に、それぞれ斜めになったコーナーを形成している。前記切り抜き部はまた、両側壁20,30にそのまま残さされた中心部28,38を形成している。該携行器の両側にはそれぞれセルバンド25,35、セルコーナータブ26,36、及びセル中央部27,37によって中心セルがそれぞれ形成されている。セルコーナータブ26,36はセルバンド25,35に折り曲げ可能に接続されており、セル中央部27,37は側壁20,30と一体に形成されている。立ち上げパネル60,62,70,72がこの携行器２の底部と、ハンドル構成パネル80,82,90,92から形成されたハンドルとの間に延在している。図示の側面図には、把手フラップ84を見ることもできる。側壁20,30のセル中央部と、各ハンドル構成パネル80,82,90,92との間に存在する切断線はそれぞれ切断曲線86,88,96,98にて終端している。各側壁20,30の各上部バンド23,33と、これら上部バンド23,33にそれぞれ隣接するセルバンド25,35との間に存在する切断線はそれぞれ切断曲線87,89,97,99にて終端している。折り畳まれた状態においてこの携行器２は、側壁と中心セルとの間の切断線上における前記セルコーナータブの部分に計画的に設けられた連結部（nick members）を持っている。この特徴は該携行器が完全に組み立てられた状態では明確ではないが、この携行器を形成するブランクに関する下記の説明部分においてさらに詳細に説明する。
図３は、本発明による図１に示した組み立てられた携行器を形成するためのブランク４の好ましい実施形態を示してある。このブランク４は、該携行器の前記ハンドル構成パネル80,82,90,92を互いに半分に分割する穿孔折り曲げ線に関して本質的に対称形を成している。これら二つの底壁10,12の一方は他方よりも幅広のもので、便宜上、底壁10を大きい方の底壁と称する。他方の底壁は便宜上小さい方の底壁12と称す。各側壁20,30は切抜き部を有しており、ほぼこれら各切り抜き部によって、下部側壁バンド21,31とそれらに隣接したコーナータブ22,32、及び、上部バンド23,33とそれらに隣接したコーナータブ24,34が形成されたものとなっている。中心セルを形成しているのは、セルバンド25,35、セルコーナータブ26,36、及び、各側壁20,30と一体となったセル中央部27,37である。連結部29,39が、各上部バンド23,33と、各セルバンド25,35及びこれに付随したセルコーナータブ26,36との間の各切断線の一方に沿って設けられている。各連結部29,39は、隣接する上部側壁バンド23,33とセルコーナータブ26,36とを連結している。側壁20,30には、側壁コーナータブ22,32,24,34を介して端壁40,42,50,52が接続されている。支持タブ41,43,51,53が折り曲げ線に沿ってこれら各端壁40,42,50,52に接続されている。立ち上げパネルが穿孔折り曲げ線に沿って各端壁40,42,50,52に接続されている。前記セルバンド25,35は、穿孔折り曲げ線に沿って各ハンドル構成パネル80,82,90,92の下部に接続されている。これら各ハンドル構成パネル80,82,90,92には把手孔81,83,91,93が形成されている。これらハンドル構成パネルから、セルバンド25,35及びそれに付随するセルコーナータブ26,36を分離する切断線は、切断曲線86,88,96,98にて終端している。上部バンド23,33及びそれに付随するコーナータブ24,34を、各セルバンド25,35及びそれに付随するセルコーナータブ26,36から分離する切断線は、各側壁20,30内の切断曲線87,89,97,99にてそれぞれ終端している。把手フラップ84,94は、穿孔折り曲げ線に沿って各ハンドル構成パネル80,90にそれぞれ接続され、これらハンドル構成パネル80,90にそれぞれ形成された把手孔81,91内に位置している。切断曲線86,87,88,89,96,97,98,99によって、該携行器及びそのブランクにおける切断線の終端部に直接応力が生じないようになっている。このブランク４における点刻で図示した部分は、該ブランクを折って携行器２として組み立てる第一段階のために予め付着された接着剤を示している。
図４は、図３に示したブランクが一部折り込まれ、次の折り込みに備え、点刻で示す如くさらに接着剤が付着された状態を示している。図５は、ブランク４に接着剤を付着して、図１に示した携行器２を折り畳んだ形態に折り込んだ状態を示している。
図６は、図１に示した携行器２を形成するための、他の実施形態によるブランク６を示している。この図６に示すブランクは、支持タブ161,163,171,173が端壁にてはなく各立ち上げパネル160,162,170,172に設けられている点で、図３に示した前記ブランクとは異なっている。これら二つのブランクにおけるその他の特徴は本質的に同じである。よって、図６に示す該ブランクの特徴部を示すのに用いる符号は、図３のブランクに対して用いた符号に100を足したものとする。すなわち、図６では図３における符号の前に「１」を付したものが用いられている。
特に、コカ・コーラ（Coca−Cola:登録商標）ブランドソフトドリンクで販売されている専有権的な形状の如き特殊形状を有したボトルの場合には、前記バンドがそのボトルの大径とされた底部及び中心部を掛止する。上部バンド23はまた、店頭のレジにおいては該携行器上の価格表示のみがスキャンされるように、製品のボトルに個々に設けられたUPC記号を覆い隠す役割を果たす。これらのバンド21,23と中心部28との組合せによって製品に対する支持と視認性とが与えられていると同時に、ぴったりと囲み込むパッケージの実現を容易にしている。これら中心部28,38は、この携行器の構造的安定性の維持に貢献するとともに、表示面を提供している。この携行器２は前記切り抜き部を設けずに構成することも可能であるが、前記切り取り部によって形成されたバンド21,23は、この携行器内のそれらバンドの形成された位置に置かれたボトルの壁部に、より完全に係合することができる。
図示のブランク4,6において、点線は穿孔折り曲げ線を示している。実線は切断線を示している。ただし、各支持タブ41,43,51,53,161,163,171,173と、それらブランク4,6の他の部分との間の実線は、折り目で形成された折り曲げ線である。各ブランク4,6は、図１に示した携行器を形成すべく上述のように折り込むことができる。この携行器２は、多種の物品をパッケージするのに用いることができるが、特に、可撓性PETボトルをタイトな状態に包装するのに適している。この優れた適合性は、特に大径の底部と上部と間にテーパ部分を持ったプラスチックボトルの場合に、より好適なものとなる。中心セルの傾斜コーナー部と共に作用する前記側壁及び端壁のコーナー部によって、この携行器により形成される該パッケージは物品をタイトな状態に装填できる。例えば、本発明では、この携行器２によりパッケージを作成するのに適した方法として、この携行器を図５に示す折り畳んだ位置から開き、次いでその携行器を一組のボルトの上から覆うようにするか、ボトルの方を携行器の下方から該携行器内に入れ込むか、あるいはこれらの組合せによるものを考慮している。ここで、携行器２がほぼ開かれた状態となっていれば、ボトルのテーパ状をした頂部（通常、ボトルの頂部はテーパ状をなしている）は、この携行器の底部開口を介して容易に適合することができる。開かれた携行器内をボトルが上方に動くと、この携行器の前記各壁部がそれらボトルにより外方に押され、ボトルにぴったりと適合する。両側壁20,30の各傾斜コーナーと中心セルの傾斜コーナーとが並列で作用して、曲面を有したボトルをしっかりと保持し、ぴったりとしたボトルパッケージが確実に実現される。中心セルの各傾斜コーナーによって、ボトルに対する所望のフィット性はさらに良好なものとなる。これは、かかるパッケージは、該携行器のボトルと係合する各コーナーがボトルの周囲を囲むように対角に配置されているときによりタイトになるからである。各側壁20,30の下部側壁バンド21,31はボトルの底部を良好に掛止する。上部側壁バンド23,33及び中心セルバンドは、それらボトルの上部を掛止するよう計画的に配置されている。
本発明は、両側壁パネル20,30を前記ハンドル構成パネル90,92の面に対して外方に直角に引っ張ることによって、該携行器２を（図５に示す如く）折り畳まれた状態から図１に示す如く実質的に立ち上げられた構造となるまで開くように構成したものである。上述した如く、この携行器２によれば、ボトルとの適合性に極めて優れたパッケージが実現される。該携行器２にボトルを装填するには、側壁20,30を外側に引っ張り、その底部よりボトルの上部から挿入する。該携行器内に装填されたボトルは該携行器の各壁部によってぴったりと保持されるため、装填中にこれらボトルの頂部が携行器によって妨害されないことが重要である。連結部29,39は、中心セルにおける一方の傾斜コーナーが形成されるのを遅らせるために、中心セルと側壁との間をつないでいる。この携行器のぴったりとした適合性は各傾斜コーナーによって促進されているため、このように前記傾斜コーナーの一方の形成を遅らせることは、携行器をボトルにぴったりとした適合させることも同様に遅らせることになる。傾斜コーナーの形成を遅らせることでボトル装填の邪魔となるものがより少なくなるので、中心セルの両側のボトルをより簡単に装填することができる。このように、ボトルの少なくとも一部がこの中心セル内に入り込むまでこの中心セルの一方の傾斜コーナーの形成を遅らせる連結部29,39が携行器２の装填を容易にしているのである。この連結部29,39は該携行器の両側に位置した各側壁20,30に形成されている。これら連結部29,39が携行器の同端側にあれば、該携行器２への装填は一層容易に、かつ対称性をもってなされるものとなる。各連結部29,39は、各側壁23,33の上部バンドの一方と、該一方の上部バンドに隣接したセルバンドとの間の切断線上、かつセルコーナータブ26,36とセルバンド25,35との間に位置し、またブランクと一体の材料で形成される。この連結部29,39は十分に小さいもので、この携行器を組み立てる初期の時点ではそのまま残るが、該携行器にボトルが完全に装填されたときにブランクに生じる応力により容易に破断するものである。これら連結部29,39が破断すると、セルコーナータブ26,36が上部側壁バンド23,33から分離して、中心セルの傾斜コーナーの一つを形成する。連結部材の寸法として好適な例を挙げれば、携行器が0.018ないし約0.024インチ厚のペーパーボードより成る場合、連結部は0.004インチの長さを有しているのが好適である。
図３に示したブランク４の支持タブ（41,43,51,53）及び図６に示したブランク６の支持タブ（161,163,171,173）は、該携行器の組み立てられた状態において近接する底壁パネルに貼着され、この組み立てられた底壁に対する支持を補強する。上記の如く、ブランク４とブランク６とは、これら支持タブの配設位置のみにおいて相違するものである。これら支持タブを何れのものにするかは、該携行器をパッケージとして組み立て、装填するのに用いる装置の選択によって決定される。携行器の各端部に対して二つずつの支持タブを用いることは携行器が装填済／未装填に拘わらずその安定性を高めることになる。図３に示したブランク４において、ブランク４（すなわち携行器２）の一端に設けられた支持タブ41,51は、同ブランク４の他端の支持タブ43,53よりも長いものとして図示してある。このように長さを変えることにより、ブランク４から形成される携行器の取扱い性を良くすることができる。また、この携行器は対称形をなすので、このように長さを違えることにより該ブランク４の一端と他端とを容易に区別できるようになる。ブランク４、及びこのブランクから形成される携行器の両端を迅速かつ簡単に見分けることは、前記連結部材29,39がある側の該ブランク４及び携行器の端部位置を確認する上で重要である。図６に示したブランク６では、この携行器における一方の側壁130に関連したタブ171,173が、該ブランク６の他方の側壁120におけるタブ161,163よりも長いものとして示してある。折り畳まれた状態の携行器を形成すべくこのブランク６を折り込んだ際に、長い方と短い方の両支持タブどうしが互いに対面してペアを成す。これらペアを成す支持タブどうしの長さの違いによって、それぞれのタブを各底壁の取り付け位置に折り込むようにタブを操作することが容易になる。上記説明した支持タブは、携行器のブランク４及び６の各々に関連させて示したが、これらのタブの特徴は、何れのブランクが持ち合わせていてもよいし、あるいは双方のブランクが持ち合わせていてもよい。これら支持タブは、組み立てられた携行器の底壁10,12,110,112の内側あるいは外側に、周知の付着手段によって付着される。
前記立ち上げパネル60,62,70,72は、ブランクの組立を容易にするため入れ子形状を有したものとして示してある。
クレームした本発明の範囲及び精神から逸脱しなれば上記実施形態の変形が可能である。例えば、上述したように、前記携行器２及びそのブランク4,6は、中心セル部に一本のボトルを収納できるようにしてボルトを３本×２列に収納するものとして概略説明したが、本発明は、物品のその他の配列、特に中心セルにボトルを二本収納するようにして４本×２列としたものにも全く同様に応用することができる。
【図１】
0003620851.tif 000002
【図５】
0003620851.tif 000003
【図２】
0003620851.tif 000004
【図３】
0003620851.tif 000005
【図４】
0003620851.tif 000006
【図６】
0003620851.tif 000007